(57)【要約】７つの区画（１）を備える矩形の下方部分からなる医薬品用週間取り出し容器であり、この容器は、区画がパーティション（２）によって分割され、それぞれが独自の開閉可能なカバー（３）を有していることにより、それぞれの区画（１）が個々に操作可能となっている。７つの前記区画（１）は、週間取り出し容器の下方部分（４）が、寸法の同じ矩形の平面で実施されており、下方部分（４）の少なくとも１つの長手方向側面（４．２）、すなわち、取り出し側と、外側へ曲げられた壁（４．３）とを有し、全てのパーティション（２）の上部エッジ（２．３）が、その長手方向の範囲で、半径Ｒの均一な湾曲を有している。これに適合するように、形状の安定した、弾力のある７つのカバー（３）は、適合する湾曲Ｒ´を有している。湾曲した弾力のあるカバー（３）の中央部又は後部に圧力をかけると、ロック部品（６）が互いに外れ始める。【選択図】図１
2010536443.tif 000002
【特許請求の範囲】
【請求項１】
７つの区画（１）を備える矩形の下方部分からなり、前記区画が、パーティション（２）によって分割され、それぞれが独自の開閉可能なカバー（３）を有していることにより、それぞれの前記区画（１）を個々に操作することのできる医薬品用週間取り出し容器であって、
７つの前記区画（１）は、前記週間取り出し容器の前記下方部分（４）が寸法の同じ矩形の平面で実施されており、前記下方部分（４）の少なくとも１つの長手方向側面（４．２）、すなわち取り出し側と、外側へ曲げられた壁（４．３）と、を有し、全ての前記パーティション（２）の上部エッジ（２．３）が、その長手方向の範囲で、半径Ｒの均一な湾曲を有しており、これに適合するように、７つの前記区画（１）を覆い、閉鎖する、形状の安定した、弾力のある７つの前記カバー（３）が、適合する湾曲Ｒ´を有し、
前記パーティション（２）と平行に伸びる、前記カバー（３）の長手方向エッジ（３．１）が、閉鎖状態において隔壁（２．１）に接触することなく、前記隔壁（２．１）にそれぞれ約半分まで掛っており、７つの前記カバー（３）を固定及びロックするために、１つには前記カバー（３）の狭い横エッジ（３．２）に、もう１つは前記下方部分（４）の両方の前記長手方向側面（４．１、４．２）の上又は前記長手方向側面に沿って、付属するヒンジ部品（５）及びロック部品（６）が、それぞれ７つの前記区画（１）部分に配置されており、
湾曲した弾力のある前記カバー（３）の中央部又は後部に圧力をかけると、前記ロック部品（６）が互いに外れ始めることを特徴とする、週間取り出し容器。
【請求項２】
全ての前記パーティション（２）の前記上部エッジ（２．３）の曲率半径Ｒが、約４５〜５５ｍｍであることを特徴とする、請求項１に記載の週間取り出し容器。
【請求項３】
前記下方部分（４．１）の前記長手方向側面（４．１）の片方の上にあり、前記区画（１）の外に置かれたヒンジ部品Ａが、想像直線上で、前記下方部分（４）の前記長手方向側面に対して平行に、水平に配置された、それぞれ２つのジャーナル（５．１）からなり、該ジャーナルは、ペアで、すなわち前記パーティション（２）の上部に前記区画（１）を超えて延長している前記隔壁（２．１）の両側にかみ合い、前記下方部分（４）の両方の端壁（２．２）の突き出した内側にはシングルでかみ合っていることを特徴とする、請求項１又は２に記載の週間取り出し容器。
【請求項４】
前記下方部分（４）のもう一方の前記長手方向側面（４．２）にある前記ロック部品Ｃ（６）が、外から取り付けられる凹部（６．１）として、上部にあるラッチリップ（６．２）とともに、それぞれ前記区画（１）の上エッジ部分の中央に組み込まれていることを特徴とする、請求項１〜３のいずれか一項に記載の週間取り出し容器。
【請求項５】
前記半径Ｒ´で湾曲している７つの前記カバー（３）は、突き出したベース面が矩形の断面をもち、横エッジ（３．２）が相補的なヒンジ部品Ｂ（５．２、５．３）とロック部品Ｄ（６．３、６．４）とを備えていることを特徴とする、請求項１〜４のいずれか一項に記載の週間取り出し容器。
【請求項６】
１つの前記カバー（３）の前記ヒンジ部品Ｂが、２つの爪（５．２）からなり、該爪は、カバーエッジの狭い側、すなわち前記横エッジ（３．２）に形成されており、これらの前記爪（５．２）は、前記隔壁（２．１）の約半分の厚さ分が、前記カバー（３）の前記長手方向エッジ（３．１）から離されており、約２００〜２２０°の円周角で、前記ヒンジ部品Ａの付属する前記ジャーナル（５．１）を取り巻いていることを特徴とする、請求項１〜５のいずれか一項に記載の週間取り出し容器。
【請求項７】
前記爪（５．２）の延長部において該爪の厚さを備えた、一定の断面をもつ補強リブ（３．３）が、前記下方部分の上で前記カバー（３）の前記長手方向エッジ（３．１）と平行に設けられ、前記補強リブは、爪開口部（５．３）を形成するために中断されており、前記補強リブ（３．３）の爪側の端部が、カバー下面に向き合う、内側の前記爪開口部（５．３）面を形成することを特徴とする、請求項１〜６のいずれか一項に記載の週間取り出し容器。
【請求項８】
前記ヒンジ部品Ｂの前記補強リブ（３．３）が、同様に一定の幅を有しているが、その深さは、ヒンジ部分において、前記ヒンジ部品Ａのそれぞれの付属する前記ジャーナル（５．１）の方へ押し込むために、約１４０〜１６０°のセクター角で、前記爪（５．２）及び前記爪開口部（５．３）の必要な形成が行われるように拡張されることを特徴とする、請求項１〜５及び７のいずれか一項に記載の週間取り出し容器。
【請求項９】
相補的な前記ヒンジ部品Ｄが、前記ヒンジ部品Ｂの反対側に位置する前記カバー（３）の面に配置されており、突起端部で内側に設けられたラッチリップ（６．４）を備えるラッチ突起（６．３）からなることを特徴とする、請求項１〜８のいずれか一項に記載の週間取り出し容器。
【発明の詳細な説明】
【技術分野】
【０００１】
本発明は、医薬品の保管器具に関し、この保管器具は、特に固形薬剤を、それぞれの患者が医学的に処方された個々の服用周期に合わせて、７日間分の薬剤を正しい配合で問題なく服用できるように、あらかじめ１日の分量に仕分けして用意しておくのに適している。
【背景技術】
【０００２】
特許文献１によれば、スライド可能な分類容器が周知であり、これは、平らな底面及びカバー面を備える平坦な立方形の形状を有している。この分類容器を組み立てるため、シェル形のハウジングの中に取付け可能な追加エレメントが準備されており、この追加エレメントは長手方向に順番に並んで配置されている複数の区画からなる。それぞれの区画は、小幅（Ｂ）と、その小幅（Ｂ）を上回る幅（Ａ）とを有し、小幅（Ｂ）をもつ区画が、この小幅（Ｂ）を上回る幅（Ａ）をもつ区画の隣に配置されるように、互いに区画が割り当てられている。最終的に、それぞれの区画は、他の区画から独立した個別のカバーエレメントを有し、その際、これらのカバーエレメントは、小幅（Ｂ）を有する区画側にそれぞれ連結されている。このカバーエレメントと追加エレメントとを可動接続するため、インテグラルヒンジが準備されている。
【先行技術文献】
【特許文献】
【０００３】
【特許文献１】ＤＥ１９９１１９９５Ｃ２
【発明の概要】
【発明が解決しようとする課題】
【０００４】
この週間取り出し容器の欠点は、区画の形態と配置が不明瞭であることと、カバーの開方向が交互になっていることである。さらに、二重壁になっている下部構造も欠点である。
【０００５】
この従来技術から派生して、本発明の課題は、従来技術の欠点を回避した、すなわち、単純かつ明瞭な構造をもちながら、取扱いを確実に行うことのできる新しい週間取り出し容器を開発することである。
【課題を解決するための手段】
【０００６】
本課題の本発明に基づく解決方法は、請求項１に示されている。本発明の発展形態は、従属請求項の中に示されている。
【０００７】
すなわち、週間取り出し容器は、定期的に薬剤を服用する全ての患者にとって、適切な支援手段である。この週間取り出し容器は、７つの区画によって明確に整理されているため、簡単に使用することができる。週間取り出し容器の全ての部品は、プラスチックからなる。
【０００８】
本発明のコンセプトによれば、平面が矩形で平坦な、週間取り出し容器の下方部分が、寸法の同じ７つの区画を有しており、これらの区画は、隔壁によって分割され、均一に湾曲した個別のカバーによって閉鎖することができる。この週間取り出し容器は、両方の端面が端壁によって区切られている。
【０００９】
全てのパーティションの上部エッジには、その長手方向の範囲に、均一な湾曲が付けられている。この曲率半径Ｒは、好ましくは４５〜５５ｍｍである。
【００１０】
下方部分の少なくとも１つの長手方向側面、すなわち取り出し側は、外側へ曲げられた壁を有しており、これによって錠剤及び類似のもが区画から取り出しやすくなる。
【００１１】
７つの区画を覆い、閉鎖する７つのカバーは、形状が安定しており、弾力がある。これらのカバーは、適合する湾曲Ｒ´を有しており、その際、パーティションと平行に伸びるカバーの長手方向エッジは、閉鎖状態のカバーと接触することなく、又は隔壁にあたることなく、隔壁の上にそれぞれ約半分まで掛っている。両方の端壁は湾曲したカバーの外部輪郭の高さまで、及び外部輪郭に沿って伸びている。これらの端壁は、内側に段を有し、この段は、内壁の高さにまで届き、内壁の半分の厚さがあり、同じ湾曲を有している。７つの可動カバーを固定及びロックするため、１つにはカバーの狭い横エッジに、もう１つは下方部分の両方の長手方向側面の上又は長手方向側面に沿って、付属するヒンジ部品及びロック部品が、それぞれ７つの区画部分に配置されている。下方部分の長手方向側面の片方の上にあり、区画の外に置かれたヒンジ部品Ａは、想像直線上で、下方部分の長手方向側面に対して平行に、水平に配置された、それぞれ２つのジャーナルからなり、これらのジャーナルは、ペアで、すなわちパーティションの上部に区画を超えて延長している隔壁の両側にかみ合い、シングルで下方部分の両方の端壁の突き出した内側にかみ合っている。
【００１２】
下方部分のもう一方の長手方向側面にあるロック部品Ｃは、外から取り付けられる凹部として、上部にあるラッチリップとともに、区画の上エッジ部分の中央にそれぞれ組み込まれている。
【００１３】
半径Ｒ´で湾曲している７つのカバーは、突き出したベース面が矩形の断面をもち、相補的なヒンジ部品Ｂとロック部品Ｄとを備えている。ヒンジ部品Ｂは、第１の形態において、１つのカバーごとに２つの爪からなり、これらの爪は、カバーエッジの狭い側、すなわちカバーの横エッジに形成されている。これらの爪は、隔壁の約半分の厚さ分が、カバーの長手方向エッジから離されており、１８０°より大きく、好ましくは２００〜２２０°の円周角で、ヒンジ部品Ａの付属するジャーナルを取り巻いている。
【００１４】
爪の延長部において爪の厚さを備えた、一定の断面をもつ補強リブが、下方部分の上でカバーの長手方向エッジと平行に伸び、この補強リブは、いわゆる爪開口部を形成するために中断されている。この場合、補強リブの爪側の端部は、カバー下面に向かい合う、内側の爪開口部面を形成する。
【００１５】
カバーが、欠落しないように、爪を使ってジャーナルに取り付けるために、爪はジャーナル直径を有しており、さらに爪開口部は、約１４０〜１６０°のセクター角を有している。半円の下部に位置しているこのセクター角によって、下方部分に取り付けられているジャーナル方向にカバーの爪を押し込む際に、ある程度の抵抗に打ち勝つ必要がある。ヒンジ部品Ｂの第２の実施形態では、補強リブが同様に一定の幅を有しているが、その深さは、ヒンジ部分において、ヒンジ部品Ａのそれぞれの付属するジャーナルの方へ押し込むために、約１４０〜１６０°のセクター角で、爪及び爪開口部の必要な形成が行われるように拡張される。ヒンジ部品Ｂをヒンジ部品Ａの方へ押し込む場合には、第１の実施例と同様に、ある程度の抵抗に打ち勝たなければならない。
【００１６】
相補的なヒンジ部品Ｄは、ヒンジ部品Ｂの反対側に位置するカバー面に配置されている。ヒンジ部品Ｄは、突起端部の、内部に設けられたラッチリップを備えるラッチ突起からなり、このラッチリップは、例えば閉プロセスの際に、下方部分にある相補的なラッチリップの上にスライドし、凹部の中にかみ合う。
【００１７】
カバーの新しい構造の実施形態及びロック部品Ｃ、Ｄを用いる閉鎖機構による好ましい効果は、特定の開プロセスだけでカバーを簡単に開けることができることにある。
【００１８】
例えば、弾力のあるカバーの湾曲部のほぼ中央を人差し指で押すなどして、圧力を加えると、カバーが軽く内側へ押される。これによって、ロック部品Ｄが持ち上がり、両方のラッチリップが互いに滑り始める。ユーザーが望むような、選択したカバーがロック側で同時に持ち上がることは、この段階で簡単に可能である。したがって、説明されているロック構造は、意図せずに開くことが回避されるようになっている。つまり、開きたいカバー湾曲の平坦部を指で押すことによって初めて、ロックエレメントは、開口側からカバーが僅かに持ち上がることのできる位置になる。
【００１９】
本発明のさらなる詳細、特徴及び利点は、付属する図に基づく以下の実施例の説明によって生じる。
【図面の簡単な説明】
【００２０】
【図１】最初の３つのカバーが開いている、新しい週間取り出し容器の実施形態の透視図。
【図２．１】は週間取り出し容器の下方部分の透視図。
【図２．２】は週間取り出し容器の下方部分の上から見た図。
【図２．３】は週間取り出し容器の下方部分の側面図。
【図３．１】はヒンジの爪の第１の実施形態によるカバーの透視図。
【図３．２】はヒンジの爪の第１の実施形態によるカバーの側面図。
【図３．３】はヒンジの爪の第１の実施形態によるカバーの正面図。
【図４】取り付けた状態におけるヒンジ構造の透視図。
【図５】第２の実施形態によるヒンジの爪が形成されているカバー全体の透視図。
【発明を実施するための形態】
【００２１】
図１は、発明に基づく週間取り出し容器の実施例である。個々にアクセス可能な７つの区画１からなる下方部分４（図２も参照）は、矩形の平面をもつ、寸法の同じ区画１を設置するために、６つの隔壁２．１と外部にある２つの端壁２．２とを有している。全てのパーティション２の上部エッジ２．３には、その長手方向の範囲が、Ｒ＝４６ｍｍの半径で湾曲するように実施されている。下方部分４の取り出し側には、壁４．３が、それぞれの区画１から錠剤などを掴みやすくするために、外側へ曲げられている（図２も参照）。カバー３は、適合する湾曲Ｒ´を有しており、閉められた状態においては、隔壁２．１の上又は端壁２．２の内側にある段２．４の上には接触していない。カバー３を固定及びロックするため、１つにはカバーの横エッジ３．２に、もう１つは下方部分４の両方の長手方向側面４．１、４．２（図２も参照）に、付属するヒンジ部品５及びロック部品６が、それぞれ７つの区画１の部分に配置されている。
【００２２】
これに関する補足として、図２は、下方部分４に取り付けられているヒンジ部品５．１の構造を示し、図３及び図５は、カバー３に取り付けられているヒンジ部品及びロック部品の構造を示している。下方部分４のヒンジ側及び長手方向側面４．１の上にあり、区画１の外におかれているジャーナル５．１（ヒンジ部品Ａ）は、区画１を超えて延長されている隔壁２．１にペアで配置され、端壁２．２の内部にはシングル仕様で配置されている。下方部分４の、反対側の長手方向側面４．２にあるロック部品Ｃは、上部にあるラッチリップ６．２を備える凹部６．１からなり（図１を参照）、外から取り付けられ、それぞれ区画の上エッジ部分の中央に組み込まれている。
【００２３】
図３及び図５は、カバー３に取り付けられているロック部品Ｄ、すなわち、同じ実施形態におけるラッチ突起６．３及びラッチリップ６．４を示している。<ヒンジ部品Ｂは、図３及び５において、異なった仕様で実施されている。図３に示されている第１の実施形態では、カバー３の横エッジ３．２に２つの爪５．２があり、これらの爪は、隔壁２．１の約半分の厚さ分が、カバーの長手方向エッジ３．１から離されている。これらの爪５．２は、それぞれの補強リブ３．２の延長上に延びている。爪５．２は、約２２０°の円周角で、ヒンジ部品Ａの、下方部分４にある付属するジャーナル５．１を取り巻いている。ジャーナル５．１の直径よりも明らかに小さい爪開口部５．３を介して、カバー３を下方部分４に取り付ける際に、爪５．２がジャーナル５．１の方へ押し込まれる。図５による爪５．２の第２の実施形態では、爪５．２と爪開口部５．３とが、それらの深さに対応して拡張されたそれぞれの補強リブ３．３の中に組み込まれている。
【００２４】
図４は、図１〜図３に示されているヒンジ部品Ａ及びＢを組み立てた状態を示している。
【００２５】
週間取り出し容器の部品材料としては、例えば、下方部分にアクリルニトリルブタジエンスチレン（ＡＢＳ樹脂）、及びカバーにポリカーボネート（ＰＣ）が使用される。
【符号の説明】
【００２６】
１    医薬品用区画、区画
２    パーティション
２．１    隔壁
２．２    端壁
２．３    上部エッジ
２．４    端壁内部の段
３    カバー
３．１    長手方向エッジ
３．２    横エッジ
３．３    補強リブ
４    下方部分
４．１    長手方向側面−ヒンジ
４．２    長手方向側面−ロック／取出し
４．３    外側へ曲げられた壁−取り出し側
５    ヒンジ部品
５．１    ジャーナル、ヒンジ部品Ａ
５．２    爪、ヒンジ部品Ｂ
５．３    爪開口部、ヒンジ部品Ｂ
６    ロック部品
６．１    凹部（ロック部品Ｃ）
６．２    ラッチリップ（ロック部品Ｃ）
６．３    ラッチ突起（ロック部品Ｄ）
６．４    ラッチリップ（ロック部品Ｄ）
【図１】
2010536443.tif 000003
【図２．１】
2010536443.tif 000004
【図２．２】
2010536443.tif 000005
【図２．３】
2010536443.tif 000006
【図３．１】
2010536443.tif 000007
【図３．２】
2010536443.tif 000008
【図３．３】
2010536443.tif 000009
【図４】
2010536443.tif 000010
【図５】
2010536443.tif 000011
【国際調査報告】
2010536443.tif 000012
2010536443.tif 000013
2010536443.tif 000014
2010536443.tif 000015